【手続補正書】
【提出日】平成18年1月13日(2006.1.13)
【手続補正１】
【補正対象書類名】明細書
【補正対象項目名】全文
【補正方法】変更
【補正の内容】
【書類名】  明細書
【発明の名称】  電気掃除機用吸込具並びに電気掃除機
【特許請求の範囲】
【請求項１】  下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作し前記スイッチのオンオフ制御を直接または間接に行う検知レバーと、前記吸込具本体の上下反転により移動し上下反転時には前記スイッチをオン制御しないように規制する位置に移動する移動体と、前記吸込具本体の上下正常時には前記移動体が上下反転時の位置へ移動するのを規制する邪魔体とを備えた電気掃除機用吸込具。
【請求項２】  下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作し前記スイッチのオンオフ制御を直接または間接に行う検知レバーと、前記吸込具本体の上下反転により移動し上下反転時には前記スイッチをオン制御しないように規制する位置に移動する磁性体から成る移動体と、前記吸込具本体の上下反転時には、前記移動体が自重によって上下反転時の位置へ移動し、且つ前記吸込具本体の上下正常時には前記移動体が上下反転時の位置へ移動するのを磁力によって規制する磁石体とを備えた電気掃除機用吸込具。
【請求項３】  下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する移動体と、前記移動体を上下方向に移動自在に収容する移動体収容部と、前記移動体の移動を規制する邪魔体とを備え、前記検知レバーの一部を前記移動体収容部内に出没自在とするとともに、前記検知レバーの一部により移動体を介して前記スイッチをオン制御するよう構成し、前記吸込具本体の上下正常時には前記移動体の上方の移動体収容部内に邪魔体が位置し、前記吸込具本体の上下反転時には邪魔体による移動体収容部内の移動体の規制を解除し、前記検知レバーの一部より上下方向において離れた位置に移動体が移動するよう構成した電気掃除機用吸込具。
【請求項４】  下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する磁性体から成る移動体と、前記移動体を上下方向に移動自在に収容する移動体収容部と、前記移動体の移動を規制する磁石体とを備え、前記検知レバーの一部を前記移動体収容部内に出没自在とするとともに、前記検知レバーの一部により移動体を介して前記スイッチをオン制御するよう構成し、前記吸込具本体の上下正常時には前記移動体の上方への移動は前記磁石体の磁力により規制され、前記吸込具本体の上下反転時には移動体が自重により移動体収容部内を移動し、前記検知レバーの一部より上下方向において離れた位置に移動体が移動するよう構成した電気掃除機用吸込具。
【請求項５】  下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する移動体と、前記移動体を上下方向に移動自在に収容する移動体収容部と、前記移動体の移動を規制する邪魔体とを備え、前記検知レバーの一部を前記移動体収容部内に出没自在とし、吸込具本体の上下正常時には前記検知レバーの一部と移動体との間の移動体収容部内に邪魔体が位置し、前記吸込具本体の上下反転時には邪魔体による移動体収容部内の移動体の規制を解除し、前記検知レバーの一部に対向する位置に移動体が移動するよう構成した電気掃除機用吸込具。
【請求項６】  下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する移動体と、前記移動体を上下方向に移動自在に収容する移動体収容部と、前記移動体の移動を規制する磁石体とを備え、前記検知レバーの一部を前記移動体収容部内に出没自在とし、吸込具本体の上下正常時には前記移動体の上方への移動は、前記磁石体の磁力により規制され、前記吸込具本体の上下反転時には移動体が自重により移動体収容部内を移動し、前記検知レバーの一部に対向する位置に移動体が移動するよう構成した電気掃除機用吸込具。
【請求項７】  床面接地部をローラーとした請求項１〜６記載の電気掃除機用吸込具。
【請求項８】  床面接地部を接地する方向に付勢した請求項１〜７記載の電気掃除機用吸込具。
【請求項９】  邪魔体は、移動体と衝突して移動体の移動を規制するよう構成した請求項１、３、５、７、８のいずれか１項に記載の電気掃除機用吸込具。
【請求項１０】  邪魔体は、支持体と重量体とで構成した請求項１、３、５、７、８、９のいずれか１項に記載の電気掃除機用吸込具。
【請求項１１】  邪魔体は、上下反転時に重量体により移動体の移動経路から退くよう構成した請求項１０記載の電気掃除機用吸込具。
【請求項１２】  支持体の一端に回動軸を有し、他端に重量体を設け、上下反転時に前記重量体が回動軸を支点として鉛直方向に回動し、移動体収容部の移動経路を開放するよう構成した請求項１１記載の電気掃除機用吸込具。
【請求項１３】  上下正常時に移動経路から離れるにしたがって上方に案内する案内部を設け、この案内部に支持体を移動自在に取り付け、上下反転時に重量体の鉛直方向の力により支持体が案内部を移動するよう構成した請求項１１記載の電気掃除機用吸込具。
【請求項１４】  内部に塵埃を集塵する集塵室と電動送風機を備えた電気掃除機本体に、請求項１〜１３のいずれか１項に記載の電気掃除機用吸込具と連通するように接続される接続口を備えた電気掃除機。
【発明の詳細な説明】
【０００１】
【発明の属する技術分野】
本発明は、電動機によって回転される回転ブラシを具備した電気掃除機用吸込具並びにこの電気掃除機用吸込具を接続する電気掃除機に関するものである。
【０００２】
【従来の技術】
従来、この種の電気掃除機用吸込具は、図９および図１０に示すように構成していた。以下、その構成について説明する。
【０００３】
図９に示すように、吸込具本体１は、底面に吸込口２を設け、この吸込口２に対向して絨毯などの被掃除面に付着した塵埃を遊離させるアジテーター３を回転自在に配設している。このアジテーター３はベルト４を介して電動機５により回転駆動する。吸込具本体１の裏面に、回動軸６により上下に回動可能なローラーアーム７を設け、ローラーアーム７の先端部にはローラー８を回転自在に取り付けている。
【０００４】
つぎに、図１０に示すように、スプリング９はローラーアーム７を吸込具本体１の裏面より突出させる方向に付勢するもので、回動軸６にはスイッチ１０を付勢する付勢部１１を設けている。また、回動軸６にはレバー１２を設けており、このレバー１２はボールガイド１３内に回転可能に収容し、ボールガイド１３内にボール１４を配している。規制リブ１５はレバー１２の回動方向に直行する方向に突出して設け、この規制リブ１５によりボール１４がレバー１２内へ侵入するのを阻止するよう構成している。
【０００５】
上記構成において、図１０（ａ）に示すように、吸込具本体１を被掃除面に接地させた上下正常時では、被掃除面にローラー８が当接して上方に移動し、同時にローラーアーム７が回動軸６を回転させ、図１０（ｂ）に示すように、回動軸６とともに回動する付勢部１１によりスイッチ１０を付勢し、このスイッチ１０により電動機５に通電し、アジテータ３を回転させる。
【０００６】
つぎに、吸込具本体１を被掃除面から離して空中に浮かすと、図１０（ｃ）（ｄ）に示すように、スプリング９の付勢によりローラーアーム７およびローラー８は吸込具本体１の裏面より突出し、回動軸６が回動して、付勢部１１によりスイッチ１０をオフし、電動機５を停止させ、アジテータ３を停止させる。
【０００７】
一方、図１０（ｅ）（ｆ）に示すように、吸込具本体１の吸込口２を上方に向けた上下反転時では、スプリング９の付勢力によりローラーアーム７が回動し、ローラー８が吸込具本体１の外方に突出するとともに、ローラーアーム７により回動軸６を上述の場合とは逆方向に回動させるので、ボールガイド１３内のレバー１２も可動し、ボール１４がレバー１２より外れ、その自重で下方に落下する。
【０００８】
この状態で、ローラー８を故意に下方に押し下げようとすると、レバー１２の端部がボール１４に当接し、レバー１２の回動が規制され、図１０（ｆ）の実線で示すように、付勢部１１が回動せず、その結果、スイッチ１０が動作しないため電動機５に通電されず、アジテータ３は停止状態のままとなり、アジテータ３が不用意に回転することがない。
【０００９】
また、レバー１２内へボール１４が侵入するのを防止する規制リブ１５を設けているため、掃除作業中、吸込具本体１が前後に動作してもレバー１２内へのボール１４の侵入を阻止できるとともに、吸込具本体１の吸込口２を上方に向けたときは、ボール１４は規制リブ１５と点接触であるため摩擦力を低減することができ、よりはやくローラーアーム７の回動をロックすることができ、はやく確実にアジテータ３を停止することができる。
【００１０】
【発明が解決しようとする課題】
このような従来の構成では、吸込具本体１を被掃除面に接地させて掃除を開始するとき、吸込具本体１の吸込口２を下方に向けた上下正常状態で、たとえば、吸込具本体１を被掃除面に落として、吸込具本体１に衝撃力を加えた場合には、衝撃力に起因してボール１４が上方へはね上がると同時に、レバー１２が図１０（ｃ）に示す状態から図１０（ａ）に示す状態に移行し始める。
【００１１】
このため、ボール１４がボールガイド１３内の上端に移動したときに、レバー１２の端部がボール１４に当接した状態になると、ボール１４はレバー１２によりボールガイド１３内の上端にロックされる。
【００１２】
掃除を開始するときは、吸込具本体１を被掃除面に接地させて、そのまま吸込具本体１を被掃除面上を前後方向に移動させるため、ボール１４がレバー１２によりボールガイド１３内の上端にロックされた状態で吸込具本体１が被掃除面上を前後方向に移動させることになる。この状態では、レバー１２がボール１４によりロックされることによりレバー１２の回動が規制されているため、回動軸６を回転させることができず、付勢部１１によりスイッチ１０を付勢できないため、電動機５に通電することなく、アジテータ３を回転できないという問題を有していた。本発明は上記従来の課題を解決するもので、吸込具本体に衝撃力が加えられても、確実に回転ブラシを回転させて使い勝手を向上することを目的としている。
【００１３】
【課題を解決するための手段】
本発明は上記目的を達成するために、吸込具本体の下面に開口させた吸込口に臨むように、吸込具本体内に回転ブラシを回転自在に設け、回転ブラシを電動機により回転駆動し、吸込具本体を上下反転したとき安全装置により電動機を停止させるよう構成し、安全装置は、吸込具本体の被掃除面への接地状態および非接地状態に応じて動作する検知レバーによりスイッチのオンオフ制御を直接または間接に行って電動機を制御し、吸込具本体の上下反転により移動する移動体を上下反転時にはスイッチをオン制御しないように規制する位置に移動させ、吸込具本体の上下正常時には邪魔体により移動体が上下反転時の位置へ移動するのを規制するよう構成したものである。
【００１４】
【課題を解決するための手段】
これにより、吸込具本体に衝撃力が加えられても、確実に回転ブラシを回転させることができ、使い勝手を向上することができる。
【００１５】
また、内部に塵埃を集塵する集塵室と電動送風機を備えた電気掃除機本体に、上記電気掃除機用吸込具と連通するように接続される接続口を備えた電気掃除機である。
【００１６】
これにより、吸込具本体に衝撃力が加えられても、確実に回転ブラシを回転させて掃除することができ、使い勝手を向上することができる。
【００１７】
【発明の実施の形態】
本発明の請求項１に記載の発明は、下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作し前記スイッチのオンオフ制御を直接または間接に行う検知レバーと、前記吸込具本体の上下反転により移動し上下反転時には前記スイッチをオン制御しないように規制する位置に移動する移動体と、前記吸込具本体の上下正常時には前記移動体が上下反転時の位置へ移動するのを規制する邪魔体とを備えた電気掃除機用吸込具であり、吸込具本体の上下反転時には、スイッチをオン制御しないため回転ブラシが回転することがなく、吸込具本体の上下正常時に吸込具本体に衝撃力が加えられても、確実に回転ブラシを回転させて掃除することができ、使い勝手を向上することができる。
【００１８】
本発明の請求項２に記載の発明は、下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作し前記スイッチのオンオフ制御を直接または間接に行う検知レバーと、前記吸込具本体の上下反転により移動し上下反転時には前記スイッチをオン制御しないように規制する位置に移動する磁性体から成る移動体と、前記吸込具本体の上下反転時には、前記移動体が自重によって上下反転時の位置へ移動し、且つ前記吸込具本体の上下正常時には前記移動体が上下反転時の位置へ移動するのを磁力によって規制する磁石体とを備えた電気掃除機用吸込具であり、吸込具本体の上下反転時には、スイッチをオン制御しないため回転ブラシが回転することがなく、吸込具本体の上下正常時に吸込具本体に衝撃力が加えられても、確実に回転ブラシを回転させて掃除することができ、使い勝手を向上することができる。
【００１９】
請求項３に記載の発明は、下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する移動体と、前記移動体を上下方向に移動自在に収容する移動体収容部と、前記移動体の移動を規制する邪魔体とを備え、前記検知レバーの一部を前記移動体収容部内に出没自在とするとともに、前記検知レバーの一部により移動体を介して前記スイッチをオン制御するよう構成し、前記吸込具本体の上下正常時には前記移動体の上方の移動体収容部内に邪魔体が位置し、前記吸込具本体の上下反転時には邪魔体による移動体収容部内の移動体の規制を解除し、前記検知レバーの一部より上下方向において離れた位置に移動体が移動するよう構成した電気掃除機用吸込具であり、吸込具本体の上下正常時には移動体の上方の移動体収容部内に邪魔体が位置しているため、吸込具本体に衝撃力が加えられても、確実に回転ブラシを回転させて掃除することができ、使い勝手を向上することができる。また、吸込具本体の上下反転時には邪魔体による動体収容部内の移動体の規制を解除し、検知レバーの一部より上下方向において離れた位置に移動体が移動することにより、スイッチをオンすることがなく、回転ブラシが回転しないようにすることができる。
【００２０】
請求項４に記載の発明は、下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する磁性体から成る移動体と、前記移動体を上下方向に移動自在に収容する移動体収容部と、前記移動体の移動を規制する磁石体とを備え、前記検知レバーの一部を前記移動体収容部内に出没自在とするとともに、前記検知レバーの一部により移動体を介して前記スイッチをオン制御するよう構成し、前記吸込具本体の上下正常時には前記移動体の上方への移動は前記磁石体の磁力により規制され、前記吸込具本体の上下反転時には移動体が自重により移動体収容部内を移動し、前記検知レバーの一部より上下方向において離れた位置に移動体が移動するよう構成した電気掃除機用吸込具であり、吸込具本体の上下正常時には磁性体から成る移動体の下方に磁石体が位置しているため、吸込具本体に衝撃力が加えられても、確実に回転ブラシを回転させて掃除することができ、使い勝手を向上することができる。また、吸込具本体の上下反転時には移動体が自重により動体収容部内を移動し、検知レバーの一部より上下方向において離れた位置に移動体が移動することにより、スイッチをオンすることがなく、回転ブラシが回転しないようにすることができる。
【００２１】
請求項５に記載の発明は、下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する移動体と、前記移動体を上下方向に移動自在に収容する移動体収容部と、前記移動体の移動を規制する邪魔体とを備え、前記検知レバーの一部を前記移動体収容部内に出没自在とし、吸込具本体の上下正常時には前記検知レバーの一部と移動体との間の移動体収容部内に邪魔体が位置し、前記吸込具本体の上下反転時には邪魔体による移動体収容部内の移動体の規制を解除し、前記検知レバーの一部に対向する位置に移動体が移動するよう構成した電気掃除機用吸込具であり、吸込具本体の上下正常時には検知レバーの一部と移動体との間の移動体収容部内に邪魔体が位置することにより、吸込具本体に衝撃力が加えられても、確実に回転ブラシを回転させて掃除することができ、使い勝手を向上することができる。また、吸込具本体の上下反転時には邪魔体による移動体収容部内の移動体の規制を解除し、検知レバーの一部に対向する位置に移動体が移動することにより、検知レバーが移動体によりロックされて床面接地部を押圧してもスイッチをオンすることがなく、回転ブラシが回転しないようにすることができる。
【００２２】
請求項６に記載の発明は、下面に吸込口を開口させた吸込具本体と、前記吸込口に臨むように前記吸込具本体内に回転自在に設けた回転ブラシと、前記回転ブラシを回転駆動する電動機と、前記吸込具本体を上下反転したとき前記電動機を停止させる安全装置とを備え、前記安全装置は、前記電動機をオンオフ制御するスイッチと、前記吸込具本体の被掃除面への接地状態および非接地状態に応じて動作する床面接地部と、前記床面接地部の動きに応じて前記スイッチのオンオフを制御する検知レバーと、前記吸込具本体の上下反転により移動する移動体と、前記移動体を上下方向に移動自在に収容する移動体収容部と、前記移動体の移動を規制する磁石体とを備え、前記検知レバーの一部を前記移動体収容部内に出没自在とし、吸込具本体の上下正常時には前記移動体の上方への移動は、前記磁石体の磁力により規制され、前記吸込具本体の上下反転時には移動体が自重により移動体収容部内を移動し、前記検知レバーの一部に対向する位置に移動体が移動するよう構成した電気掃除機用吸込具であり、吸込具本体の上下正常時には移動体の上方への移動が磁石体の磁力により規制されることにより、吸込具本体に衝撃力が加えられても、確実に回転ブラシを回転させて掃除することができ、使い勝手を向上することができる。また、吸込具本体の上下反転時には移動体が自重により移動体収容部内を移動し、検知レバーの一部に対向する位置に移動体が移動することにより、検知レバーが移動体によりロックされて床面接地部を押圧してもスイッチをオンすることがなく、回転ブラシが回転しないようにすることができる。
【００２３】
請求項７に記載の発明は、上記請求項２または３に記載の発明において、床面接地部をローラーとした電気掃除機用吸込具であり、吸込具本体を被掃除面へ接地したとき、ローラーの動きに応じてスイッチをオンできるとともに、床面接地部がローラーであるため、掃除作業中、被掃除面を傷つけるのをなくすることができる。
【００２４】
請求項８に記載の発明は、上記請求項２または３に記載の発明において、床面接地部を接地する方向に付勢した電気掃除機用吸込具であり、吸込具本体を被掃除面へ接地したとき床面接地部を押圧し、吸込具本体を被掃除面から離したとき床面接地部を突出させることができ、吸込具本体の被掃除面への接地状態および非接地状態を確実に判別することができて、吸込具本体が被掃除面へ接地しているときのみスイッチをオンすることができる。
【００２５】
請求項９に記載の発明は、上記請求項１〜５に記載の発明において、邪魔体は、移動体と衝突して移動体の移動を規制するよう構成した電気掃除機用吸込具であり、邪魔体と移動体との間に隙間を介在することになり、移動体の移動性をよくすることができる。
【００２６】
請求項１０に記載の発明は、上記請求項１〜６に記載の発明において、邪魔体は、支持体と重量体とで構成した電気掃除機用吸込具であり、簡単な構成で、吸込具本体の上下正常時には支持体により邪魔体を支持し、吸込具本体の上下反転時には重量体に働く重力により邪魔体を確実に移動させることができ、この邪魔体の移動により吸込具本体の上下反転時に移動体収容部内の移動体の規制を解除することができる。
【００２７】
請求項１１に記載の発明は、上記請求項７に記載の発明において、邪魔体は、上下反転時に重量体により移動体の移動経路から退くよう構成した電気掃除機用吸込具であり、吸込具本体の上下反転時に移動体収容部内の移動体の規制を解除することができ、移動体の移動性を向上することができる。
【００２８】
請求項１２に記載の発明は、上記請求項８に記載の発明において、支持体の一端に回動軸を有し、他端に重量体を設け、上下反転時に前記重量体が回動軸を支点として鉛直方向に回動し、移動体収容部の移動経路を開放するよう構成した電気掃除機用吸込具であり、吸込具本体の上下反転時に重量体に働く重力により回動軸を中心に回動させて邪魔体を確実に移動体の移動経路から退かせることができ、吸込具本体の上下反転時に移動体収容部内の移動体の規制を解除することができ、移動体の移動性を向上することができる。
【００２９】
請求項１３に記載の発明は、上記請求項８に記載の発明において、上下正常時に移動経路から離れるにしたがって上方に案内する案内部を設け、この案内部に支持体を移動自在に取り付け、上下反転時に重量体の鉛直方向の力により支持体が案内部を移動するよう構成した電気掃除機用吸込具であり、吸込具本体の上下反転時に重量体に働く重力により案内部に沿って邪魔体を移動させて確実に移動体の移動経路から退かせることができ、吸込具本体の上下反転時に移動体収容部内の移動体の規制を解除することができる。
【００３０】
請求項１４に記載の発明は、内部に塵埃を集塵する集塵室と電動送風機を備えた電気掃除機本体に、請求項１〜１０のいずれか１項に記載の電気掃除機用吸込具と連通するように接続される接続口を備えた電気掃除機であり、吸込具本体の上下反転時には、スイッチをオン制御しないため回転ブラシが回転することがなく、吸込具本体の上下正常時に吸込具本体に衝撃力が加えられても、確実に回転ブラシを回転させて掃除することができ、使い勝手を向上することができる。
【００３１】
【実施例】
以下、本発明の実施例について、図面を参照しながら説明する。
【００３２】
（実施例１）
図４に示すように、吸込具本体１６は絨毯などの被掃除面に付着した塵埃を遊離させる回転ブラシ１７（図１参照）を内蔵し、後部に延長管１８と接続される連結体１９を回転自在に設けている。掃除機本体２０は、内部に塵埃を集塵する集塵室２１と電動送風機２２を備えており、この掃除機本体２０に設けた接続口２３に、延長管２１に接続したホース２４を接続し、吸込具本体１６の連結体１９を接続口２３に連通するように構成している。
【００３３】
ここで、まず、図１および図２を参照しながら回転ブラシ１７の構成を説明する。
【００３４】
図１に示すように、回転ブラシ１７は、吸込具本体１６の下面に開口した吸込口２５に臨むように、吸込具本体１６の吸込室２６内に回転自在に設けている。この回転ブラシ１７は、ＡＢＳ、ポリスチロール、ポリプロピレンなどの熱可塑性樹脂で形成した略筒状のブラシホルダー２７の外周面に塵埃掻き上げ部を構成する複数のブラシ２８を設けている。
【００３５】
なお、塵埃掻き上げ部は、ブラシ２８の他、薄板状のブレード、拭き効果のある帯状体（例えば、布製の帯状体）などであってもよく、さらに、これらを適宜組み合わせたものであってもよい。
【００３６】
このブラシホルダー２７の内部に、図２に示すように、回転ブラシ１７を回転駆動する電動機２９、電動機２９の回転数を減速する減速装置３０、減速装置３０の出力をブラシホルダー２７に伝達するギヤ３１などを内蔵している。ここで、回転ブラシ１７は、電動機２９、減速装置３０などを内蔵するとともに、電動機２９のトルクと、外周面のブラシ２８の先端での塵埃の掻き上げ性能から、その直径を２６ｍｍ〜４３ｍｍとしている。
【００３７】
電動機２９は整流子電動機で構成し、商用電源電圧を整流する整流器、雑音防止器などを実装した電動機用基板３２を設け、この電動機用基板３２に連結体１９を通して掃除機本体２０に接続したリード線３３を接続し、商用電源電圧を整流した電圧により駆動するように構成している。ここで、電動機２９の回転数は、減速装置３０を介してブラシホルダー２７に回転が伝えられるため、３０００ｒｐｍ〜１５０００ｒｐｍに設定している。絨毯を掃除するときは、３０００ｒｐｍ〜１１７００ｒｐｍが好ましい。
【００３８】
減速装置３０は遊星歯車により構成して電動機２９の出力軸３４を連結し、電動機２９の回転数を減速する。ここで、減速装置３０の減速比は、１／３〜１／９（好ましくは、１／５〜１／７）としている。遮音筒３５は、減速装置３０の外周を覆って遮音するもので、アルミニウムダイカスト、またはプラスチック成型により形成している。この遮音筒３５を介して電動機２９に保持固定し、電動機２９と減速装置３０とを一体に連結して構成し、出力軸３６にギヤ３１を嵌合している。軸受部３７は電動機２９と一体に連結して構成した減速装置３０をブラシホルダー２７に支持するもので、内輪を減速装置３０の径小部３８に固定し、外輪をブラシホルダー２７の軸受支持部３９により支持している。
【００３９】
電動機２９の整流子２９ａ側には、内径を中空とし減速装置３０と一体に連結して構成した電動機２９を軸支する中空軸４０を固定している。この中空軸４０は、アルミニウム合金、炭素鋼（Ｓ４５Ｃ）、工業用プラスチックなどの変形しにくい材料で形成し、内径を１３ｍｍとして冷却風をスムーズに導入できるように構成している。この中空軸４０に軸受部４１の内輪を固定し、外輪をブラシホルダー２７の端部に固定したキャップ４２により支持している。
【００４０】
ギヤ３１は、ポリアセタール、ポリアミドなどの工業用プラスチックで構成し、ブラシホルダー２７の内面部に形成したギヤ部４３と噛み合い、ギヤ部４３と噛み合う部分に、ゴム、エラストマーなどで形成した緩衝材４４を介在させ、ゴム、エラストマーなどの弾力性により、歯形相互間で噛み合い音を緩衝させている。
【００４１】
ここで、ギヤ部４３は、ブラシホルダー２７の軸方向における略中央部の内面部に形成し、ギヤ３１をブラシホルダー２７の軸方向における略中央部でブラシホルダー２７と連結させている。ギヤ部４３の外側に冷却風の通路孔４５を設けており、この通路孔４５は、中空軸４０から電動機２９および減速装置３０の外側を通る冷却風通路４６に連通するとともに、ブラシホルダー２７の外周面に設けた通気孔４７に連通している。
【００４２】
通気孔４７は連結体１９に対向する位置に設け、ブラシホルダー２７の内面に防塵フィルター４８を設け、通気孔４７からブラシホルダー２７の内部に塵埃が入るのを防止している。ギヤ部４３と通気孔４７との間に隔壁４９をブラシホルダー２７に一体に設け、通気孔４７側から減速装置３０側に塵埃が入るのを防止するとともに、減速装置３０より発生する騒音、またはギヤ３１とギヤ部４３との噛み合わせによる騒音が通気孔４７から洩れるのを防止している。
【００４３】
吸込具本体１６の側壁に回転ブラシ１７を軸支する軸支持部５０を設け、この軸支持部５０に緩衝部材５１を介在させて回転ブラシ１７の端部を軸支している。この緩衝部材５１は、ゴム、エラストマーなどの弾力性が優れた材料で形成し、回転ブラシ１７の回転による振動、びびりを吸収し、吸込具本体１６へ伝えにくくしている。また、吸込具本体１６の中空軸４０に対向する側面に吸気孔５２を設け、この吸気孔５２と中空軸４０の端面との間にフィルタ５３を介在させている。
【００４４】
安全装置５４は、吸込具本体１６を上下反転したとき電動機２９を停止させるもので、図３に示すように構成している。回動軸５５にローラーアーム５６を上下方向に回転可能に取着し、このローラーアーム５６の先端部に床面接地部を構成するローラー５７を回転可能に軸支している。吸込具本体１６を空中に浮かしたとき、スプリング５８の付勢によりローラーアーム５６およびローラー５７は吸込具本体１６の裏面より突出し、吸込具本体１６を被掃除面に接地させたとき、ローラー５７が被掃除面に当接し、ローラーアーム５６が上方向に回動するよう構成している。
【００４５】
また、回動軸５５には検知レバー５９を回転自在に取着し、この検知レバー５９はローラー５７の動きに応じて動作し、検知レバー５９の先端部（検知レバー５９の一部）を移動体収容部６０内に出没自在とするとともに、吸込具本体１６の上下正常時には検知レバー５９の先端部により移動体６１を介して、電動機２９をオンオフ制御するスイッチ６２をオンオフ制御するよう構成している。
【００４６】
ここで、移動体６１は鋼、プラスチックなどのボールで構成し、移動体収容部６０内に上下方向に移動自在に収容し、吸込具本体１６の上下反転により移動するよう構成し、吸込具本体１６の上下反転時には、スイッチ６２をオンしないように規制する位置に移動し、検知レバー５９の動きによりスイッチ６２がオンできないようにしている。
【００４７】
邪魔体６３は吸込具本体１６の上下正常時に、移動体６１の上方の移動体収容部６０内に位置し、移動体６１と衝突して移動体６１が上下反転時の位置へ移動するのを規制し、吸込具本体１６の上下反転時には邪魔体６３による移動体収容部６０内の移動体６１の規制を解除し、検知レバー５９の先端部より上下方向に離れた位置に移動体６１が移動するよう構成している。
【００４８】
すなわち、邪魔体６３は、支持体６４と重量体６５とで構成し、支持体６４の一端に回動軸６６を有し、他端に重量体６５を設け、上下反転時に重量体６５がその重力により回動軸６６を支点として鉛直方向に回動し、邪魔体６３を移動体収容部６０内の移動体６１の移動経路から退かせて開放するよう構成し、移動体収容部６０内の移動体６１の規制を解除するようにしている。
【００４９】
上記構成において動作を説明すると、吸込具本体１６を被掃除面に接地させると、図３（ａ）に示すように、ローラー５７が被掃除面に当接し、ローラーアーム５６が上方向に回動することにより回動軸５５が回動し、検知レバー５９により移動体６１を介してスイッチ６２をオンする。
【００５０】
この状態で吸込具本体１６と掃除機本体２０に通電すると、回転ブラシ１７に内蔵した電動機２９が回転し、減速装置３０によって減速され、回転トルクが増大されて回転ブラシ１７を回転駆動する。回転ブラシ１７の回転により、ブラシホルダー２７の外周面に設けたブラシ２８により絨毯などに付着した塵埃を掻き上げるとともに、掻き上げた塵埃は延長管１８、ホース２４を介して掃除機本体２０に吸引される。
【００５１】
ここで、回転ブラシ１７は電動機を内蔵することによって、従来に比べて、その直径が大きくなるが、直径が大きくなると、回転数を従来と同じとしたとき、塵埃掻き上げ部の周速が速まり、被掃除面からの塵埃の掻き上げ性能を向上することができる。
【００５２】
このとき、吸込具本体１６と被掃除面で囲まれた空間に負圧がかかり、吸込具本体１６の外周より外気が流入し、この気流により被掃除面上の塵埃も連結体１９を通して一緒に吸い込まれていく。そして、連結体１９に対向して設けた通気孔４７を通して、回転ブラシ１７内部の通気孔４７の近傍にも負圧が働くため、外気が吸気孔５２より中空軸４０の中空部を通って回転ブラシ１７の内部に流入する。
【００５３】
この流入した外気により、電動機２９および減速装置３０の外側を通る冷却風通路４６、ギヤ部４３の外側に設けた通路孔４５を通り、防塵フィルタ４８を介して通気孔４７から流出する冷却風が生じ、電動機２９、電動機用基板３２などを冷却する。
【００５４】
つぎに、吸込具本体１６を被掃除面から離して空中に浮かすと、図３（ｂ）に示すように、スプリング５８の付勢によりローラーアーム５６およびローラー５７は吸込具本体１６の裏面より突出し、回動軸５５が回動してスイッチ６２をオフし、電動機２９を停止させ、回転ブラシ１７を停止させる。
【００５５】
ところで、掃除を開始するときは、一般に、吸込具本体１６を被掃除面に接地させて、そのまま吸込具本体１６を被掃除面上を前後方向に移動させる。このとき、吸込具本体１６の吸込口２５を下方に向けた上下正常状態で、たとえば、吸込具本体１６を被掃除面に落として、吸込具本体１６に衝撃力を加えた場合には、衝撃力に起因して移動体６１が移動体収容部６０内で上方向に移動しようとすると同時に、検知レバー５９が図３（ｂ）に示す状態から図３（ａ）に示す状態に移行し始める。
【００５６】
このとき、移動体６１は邪魔体６３に衝突し、移動体６１の移動を規制され、移動体６１が検知レバー５９から上下方向において離れた位置へ移動するのを規制される。このため、検知レバー５９が図３（ｂ）に示す状態から図３（ａ）に示す状態に移行したとき、移動体６１が検知レバー５９の先端部の上にのる状態にはならず、検知レバー５９とスイッチ６２との間に介在し、検知レバー５９の動作によりスイッチ６２をオン制御することができる。
【００５７】
したがって、吸込具本体１６を被掃除面に接地させたとき、吸込具本体１６に衝撃力が加えられても、確実に回転ブラシ１７を回転させて掃除することができ、使い勝手を向上することができる。
【００５８】
つぎに、吸込具本体１６を上下反転させたときは、図３（ｃ）に示すように、邪魔体６３の重量体６５がその重力により回動軸６６を支点として鉛直方向に回動し、移動体収容部６０内の移動体６１の移動経路から退いて開放するため、邪魔体６３による移動体収容部６０内の移動体６１の規制を解除することができ、検知レバー５９の先端部から上下方向に離れた位置に移動体６１が移動する。このため、ローラー５７を押圧しても、検知レバー５９とスイッチ６２との間に移動体６１が介在しないため、スイッチ６２をオンすることがなく、回転ブラシ１７が回転しないようにすることができる。
【００５９】
ここで、床面接地部をローラー５７としているので、吸込具本体１６を被掃除面へ接地したとき、ローラー５７の動きに応じてスイッチ６２をオンできるとともに、掃除作業中、被掃除面を傷つけるのをなくすることができる。
【００６０】
また、ローラー５７をスプリング５８により接地する方向に付勢しているので、吸込具本体１６を被掃除面へ接地したときローラー５７を押圧し、吸込具本体１６を被掃除面から離したときローラー５７を突出させることができ、吸込具本体１６の被掃除面への接地状態および非接地状態を確実に判別することができて、吸込具本体１６が被掃除面へ接地しているときのみスイッチ６２をオンすることができる。
【００６１】
また、邪魔体６３は、吸込具本体１６の上下正常時に、移動体６１の上方の移動体収容部６０内に位置し、移動体６１と衝突して移動体６１の移動を規制するよう構成しているので、邪魔体６３と移動体６１との間に隙間を介在することになり、検知レバー５９によりスイッチ６２をオン制御するときの移動体６１の移動性をよくすることができる。
【００６２】
また、邪魔体６３は、支持体６４と重量体６５とで構成し、支持体６４の一端に回動軸６６を有し、他端に重量体６５を設け、上下反転時に重量体６５が回動軸６６を支点として鉛直方向に回動し、移動体収容部６０の移動経路を開放するよう構成しているので、簡単な構成で、吸込具本体１６の上下正常時には支持体６４により邪魔体６３を支持し、吸込具本体１６の上下反転時には重量体６５に働く重力により邪魔体６３を確実に移動させることができ、この邪魔体６３の移動により吸込具本体１６の上下反転時に移動体収容部６０内の移動体６１の規制を解除することができ、移動体６１の移動性を向上することができる。
【００６３】
なお、本実施例では、回転ブラシ１７は、回転ブラシ１７に内蔵した電動機２９により駆動するように構成しているが、回転ブラシの外部に設けた電動機によりベルトを介して回転駆動するように構成してもよい。
【００６４】
（実施例２）
つぎに、本発明の実施例２について、図５を参照しながら説明する。なお、安全装置以外は上記実施例１と同じであるので説明を省略する。
【００６５】
図５に示すように、安全装置６７は、上記実施例１と同様に、吸込具本体１６を上下反転したとき電動機２９を停止させるもので、回動軸６８にローラーアーム６９を上下方向に回転可能に取着し、このローラーアーム６９の先端部に床面接地部を構成するローラー７０を回転可能に軸支している。吸込具本体１６を空中に浮かしたとき、スプリング７１の付勢によりローラーアーム６９およびローラー７０は吸込具本体１６の裏面より突出し、吸込具本体１６を被掃除面に接地させたとき、ローラー７０が被掃除面に当接し、ローラーアーム６９が上方向に回動するよう構成している。
【００６６】
また、回動軸６８には検知レバー７２を回転自在に取着し、さらに、電動機２９をオンオフ制御するスイッチ７３を付勢する付勢部７４を設け、検知レバー７２はローラー７０の動きに応じて動作し、検知レバー７２の先端部を移動体収容部７５内に出没自在とするとともに、吸込具本体１６の上下正常時には付勢部７４により電動機２９をオンオフ制御するスイッチ７３をオンオフ制御するよう構成している。
【００６７】
ここで、移動体７６は鋼、プラスチックなどのボールで構成し、移動体収容部７５内に上下方向に移動自在に収容し、吸込具本体１６の上下反転により移動するよう構成し、吸込具本体１６の上下反転時には、スイッチ７３をオンしないように規制する位置に移動し、検知レバー７２の動きによりスイッチ７３がオンできないようにしている。
【００６８】
邪魔体７７は吸込具本体１６の上下正常時に、検知レバー７２の先端部と移動体７６との間に位置し、吸込具本体１６の上下反転時には邪魔体７７による移動体収容部７５内の移動体７６の規制を解除し、検知レバー７２の先端部に対向する位置に移動体７６が移動するよう構成している。
【００６９】
すなわち、邪魔体７７は、支持体７８と重量体７９とで構成し、支持体７８の一端に回動軸８０を有し、他端に重量体７９を設け、上下反転時に重量体７９がその重力により回動軸８０を支点として鉛直方向に回動し、邪魔体７７を移動体収容部７５内の移動体７６の移動経路から退かせて開放するよう構成し、移動体収容部７５内の移動体７６の規制を解除するようにしている。
【００７０】
上記構成において動作を説明する。なお、吸込具本体１６と掃除機本体２０に通電したときの動作は上記実施例１の動作と同じであるので説明を省略する。
【００７１】
吸込具本体１６を被掃除面に接地すると、図５（ａ）（ｂ）に示すように、ローラー７０が被掃除面に当接し、ローラーアーム６９が上方向に回動することにより回動軸６８が回動し、付勢部７４によりスイッチ７３をオンし、電動機２９が回転し、回転駆動する。
【００７２】
つぎに、吸込具本体１６を被掃除面から離して空中に浮かすと、図５（ｃ）（ｄ）に示すように、スプリング７１の付勢によりローラーアーム６９およびローラー７０は吸込具本体１６の裏面より突出し、回動軸６８が回動して、付勢部７４によりスイッチ７３をオフし、電動機２９を停止させ、回転ブラシ１７を停止させる。
【００７３】
ところで、掃除を開始するときは、一般に、吸込具本体１６を被掃除面に接地させて、そのまま吸込具本体１６を被掃除面上を前後方向に移動させる。このとき、吸込具本体１６の吸込口２５を下方に向けた上下正常状態で、たとえば、吸込具本体１６を被掃除面に落として、吸込具本体１６に衝撃力を加えた場合には、衝撃力に起因して移動体７６が移動体収容部７５内で上方向に移動しようとすると同時に、検知レバー７２が図５（ｃ）に示す状態から図５（ａ）に示す状態に移行し始める。
【００７４】
このとき、移動体７６は邪魔体７７に衝突し、移動体７６の移動を規制され、移動体７６が検知レバー７２の先端部に対向する位置（図５（ｃ）破線部）へ移動するのを規制される。このため、検知レバー７２が図５（ｃ）に示す状態から図５（ａ）に示す状態に移行したとき、移動体７６が検知レバー７２の先端部によりロックされる状態にはならず、検知レバー７２の動作により付勢部７４を介してスイッチ７３をオン制御することができて回転ブラシ１７を確実に回転させることができ、使い勝手を向上することができる。
【００７５】
つぎに、吸込具本体１６を上下反転させたときは、図５（ｅ）（ｆ）に示すように、邪魔体７７の重量体７９がその重力により回動軸８０を支点として鉛直方向に回動し、移動体収容部７５内の移動体７６の移動経路から退いて開放するため、邪魔体７７による移動体収容部７５内の移動体７６の規制を解除することができ、検知レバー７２の先端部に対向する位置に移動体７６が移動する。このため、検知レバー７２が移動体７６によりロックされて、ローラー７０を押圧してもスイッチ７３をオンすることがなく、回転ブラシ１７が回転しないようにすることができる。
【００７６】
ここで、床面接地部をローラー７０としているので、吸込具本体１６を被掃除面へ接地したとき、ローラー７０の動きに応じてスイッチ７３をオンできるとともに、掃除作業中、被掃除面を傷つけるのをなくすることができる。
【００７７】
また、ローラー７０をスプリング７１により接地する方向に付勢しているので、吸込具本体１６を被掃除面へ接地したときローラー７０を押圧し、吸込具本体１６を被掃除面から離したときローラー７０を突出させることができ、吸込具本体１６の被掃除面への接地状態および非接地状態を確実に判別することができて、吸込具本体１６が被掃除面へ接地しているときのみスイッチ７３をオンすることができる。
【００７８】
また、邪魔体７７は、吸込具本体１６の上下正常時に、検知レバー７２の先端部と移動体７６との間に位置し、移動体７６と衝突して移動体７６の移動を規制するよう構成しているので、邪魔体７７と移動体７６との間に隙間を介在することになり、吸込具本体１６の上下反転時に、邪魔体７７の移動性をよくすることができる。
【００７９】
また、邪魔体７７は、支持体７８と重量体７９とで構成し、支持体７８の一端に回動軸８０を有し、他端に重量体７９を設け、上下反転時に重量体７９が回動軸８０を支点として鉛直方向に回動し、移動体収容部７５の移動経路を開放するよう構成しているので、簡単な構成で、吸込具本体１６の上下正常時には支持体７８により邪魔体７７を支持し、吸込具本体１６の上下反転時には重量体７９に働く重力により邪魔体７７を確実に移動させることができ、この邪魔体７７の移動により吸込具本体１６の上下反転時に移動体収容部７５内の移動体７６の規制を解除することができ、移動体７６の移動性を向上することができる。
【００８０】
（実施例３）
つぎに、本発明の実施例３について、図６を参照しながら説明する。なお、安全装置以外は上記実施例１と同じであるので説明を省略する。
【００８１】
図６に示すように、安全装置８１は、上記実施例１または２と同様に、吸込具本体１６を上下反転したとき電動機２９を停止させるもので、回動軸８２にローラーアーム８３を上下方向に回転可能に取着し、このローラーアーム８３の先端部に床面接地部を構成するローラー８４を回転可能に軸支している。
【００８２】
吸込具本体１６を空中に浮かしたとき、スプリング８５の付勢によりローラーアーム８３およびローラー８４は吸込具本体１６の裏面より突出し、吸込具本体１６を被掃除面に接地させたとき、ローラー８４が被掃除面に当接し、ローラーアーム８３が上方向に回動するよう構成している。
【００８３】
また、回動軸８２には検知レバー８６を回転自在に取着し、この検知レバー８６はローラー８４の動きに応じて動作し、移動体８７を介して電動機２９をオンオフ制御するスイッチ８８をオンオフ制御する。移動体８７は鋼、プラスチックなどのボールで構成し、移動体収容部８９内に上下に移動自在に収容し、吸込具本体１６の上下反転により移動するよう構成し、吸込具本体１６の上下反転時には検知レバー８６の動きによりスイッチ８８がオンできないようにしている。
【００８４】
邪魔体９０は吸込具本体１６の上下正常時に、移動体８７と衝突して移動体８７の移動を規制し、移動体８７が上下反転時の位置へ移動するのを規制するもので、重量体９１と、この重量体９１を案内部９２に支持する支持体９３とで構成している。案内部９２は支持体９３を移動自在に取り付け、吸込具本体１６の上下正常時に移動経路から離れるにしたがって上方に案内するとともに、吸込具本体１６の上下反転時に重量体９１の鉛直方向の力により支持体９３が案内部９２を移動し、邪魔体９０を移動体収容部８９内の移動体８７の移動経路から開放するよう構成している。
【００８５】
また、検知レバー８６の先端部を移動体収容部８９内に出没自在とし、吸込具本体１６の上下正常時には検知レバー８６の先端部と対向する移動体８７に対向するよう移動体収容部８９内に邪魔体９０が位置し、吸込具本体１６の上下反転時には邪魔体９０による移動体収容部８９内の移動体８７の規制を解除し、検知レバー８６の先端部より離れた位置に移動体８７が移動するよう構成している。
【００８６】
上記構成において動作を説明する。なお、吸込具本体１６と掃除機本体２０に通電したときの動作は上記実施例１の動作と同じであるので説明を省略する。
【００８７】
吸込具本体１６を被掃除面に置くと、図６（ａ）に示すように、ローラー８４が被掃除面に当接し、ローラーアーム８３が上方向に回動することにより回動軸８２が回動し、検知レバー８６により移動体８７を介してスイッチ８８をオンすることができて回転ブラシ１７を確実に回転させることができる。
【００８８】
つぎに、吸込具本体１６を被掃除面から離して空中に浮かすと、図６（ｂ）に示すように、スプリング８５の付勢によりローラーアーム８３およびローラー８４は吸込具本体１６の裏面より突出し、回動軸８２が回動してスイッチ８８をオフし、電動機２９を停止させ、回転ブラシ１７を停止させる。
【００８９】
ところで、掃除を開始するときは、一般に、吸込具本体１６を被掃除面に接地させて、そのまま吸込具本体１６を被掃除面上を前後方向に移動させる。このとき、吸込具本体１６の吸込口２５を下方に向けた上下正常状態で、たとえば、吸込具本体１６を被掃除面に落として、吸込具本体１６に衝撃力を加えた場合には、衝撃力に起因して移動体８７が移動体収容部８９内で上方向に移動しようとすると同時に、検知レバー８６が図６（ｂ）に示す状態から図６（ａ）に示す状態に移行し始める。
【００９０】
このとき、移動体８７は邪魔体９０に衝突し、移動体８７の移動を規制され、移動体８７が検知レバー８６から上下方向において離れた位置へ移動するのを規制される。このため、検知レバー８６が図６（ｂ）に示す状態から図６（ａ）に示す状態に移行したとき、移動体８７が検知レバー８６の先端部の上にのる状態にはならず、検知レバー８６とスイッチ８８との間に介在し、検知レバー８６の動作によりスイッチ８８をオン制御することができる。
【００９１】
したがって、吸込具本体１６を被掃除面に接地させたとき、吸込具本体１６に衝撃力が加えられても、確実に回転ブラシ１７を回転させて掃除することができ、使い勝手を向上することができる。
【００９２】
つぎに、吸込具本体１６を上下反転させたときは、図６（ｃ）に示すように、邪魔体９０の重量体９１がその重力により支持体９３が案内部９２を移動し、邪魔体９０を移動体収容部８９内の移動体８７の移動経路から退いて開放するため、邪魔体９０による移動体収容部８９内の移動体８７の規制を解除することができ、検知レバー８６の先端部から上下方向に離れた位置に移動体８７が移動する。
【００９３】
このため、ローラー８４を押圧しても、検知レバー８６とスイッチ８８との間に移動体８７が介在しないため、スイッチ８８をオンすることがなく、回転ブラシ１７が回転しないようにすることができる。
【００９４】
ここで、床面接地部をローラー８４としているので、吸込具本体１６を被掃除面へ接地したとき、ローラー８４の動きに応じてスイッチ８８をオンできるとともに、掃除作業中、被掃除面を傷つけるのをなくすることができる。
【００９５】
また、ローラー８４をスプリング８５により接地する方向に付勢しているので、吸込具本体１６を被掃除面へ接地したときローラー８４を押圧し、吸込具本体１６を被掃除面から離したときローラー８４を突出させることができ、吸込具本体１６の被掃除面への接地状態および非接地状態を確実に判別することができて、吸込具本体１６が被掃除面へ接地しているときのみスイッチ８８をオンすることができる。
【００９６】
ここで、上下正常時に移動経路から離れるにしたがって上方に案内する案内部９２を設け、この案内部９２に邪魔体９０の支持体９３を移動自在に取り付け、上下反転時に重量体９１の鉛直方向の力により支持体９３が案内部９２を移動するよう構成しているので、吸込具本体１６の上下反転時に重量体９１に働く重力により案内部９２に沿って邪魔体９０を移動させて、確実に移動体８７の移動経路から退かせることができ、吸込具本体１６の上下反転時に移動体収容部８９内の移動体８７の規制を解除することができる。
【００９７】
また、案内部９２に邪魔体９０の支持体９３を移動自在に取り付けているので、邪魔体９０に移動体８７が当たったとき、邪魔体９０を動きにくくすることができ、邪魔体９０としての機能を果たすことができる。
【００９８】
（実施例４）
つぎに、本発明の実施例４について、図７を参照しながら説明する。なお、安全装置以外は上記実施例１と同じであるので説明を省略する。
【００９９】
図７に示すように、安全装置１０１は、吸込具本体１６を上下反転したとき電動機２９を停止させるもので、図７に示すように構成している。回動軸５５にローラーアーム５６を上下方向に回転可能に取着し、このローラーアーム５６の先端部に床面接地部を構成するローラー５７を回転可能に軸支している。吸込具本体１６を空中に浮かしたとき、スプリング５８の付勢によりローラーアーム５６およびローラー５７は吸込具本体１６の裏面より突出し、吸込具本体１６を被掃除面に接地させたとき、ローラー５７が被掃除面に当接し、ローラーアーム５６が上方向に回動するよう構成している。
【０１００】
また、回動軸５５には検知レバー５９を回転自在に取着し、この検知レバー５９はローラー５７の動きに応じて動作し、検知レバー５９の先端部（検知レバー５９の一部）を移動体収容部６０内に出没自在とするとともに、吸込具本体１６の上下正常時には検知レバー５９の先端部により移動体１０２を介して、電動機２９をオンオフ制御するスイッチ６２をオンオフ制御するよう構成している。
【０１０１】
ここで、移動体１０２は鋼などの磁性体から成るボールで構成し、移動体収容部６０内に上下方向に移動自在に収容し、吸込具本体１６の上下反転により移動するよう構成し、吸込具本体１６の上下反転時には、スイッチ６２をオンしないように規制する位置に移動し、検知レバー５９の動きによりスイッチ６２がオンできないようにしている。
【０１０２】
磁石体１０３は吸込具本体１６の上下正常時に、移動体１０２の下方に位置するように配設され、移動体１０２を磁力によって引きつけ移動体１０２が上下反転時の位置へ移動するのを規制し、吸込具本体１６の上下反転時には移動体１０２が自重により移動体収容部６０内を移動し、検知レバー５９の先端部より上下方向に離れた位置に移動体１０２が移動するよう構成している。
【０１０３】
すなわち、磁石体１０３は、移動体１０２を磁力によって引きつけ衝撃等で移動体１０２が上下反転時の位置へ移動するのを規制し、且つ吸込具本体１６の上下反転時には移動体１０２が自重により移動体収容部６０内を移動するような磁力に設定してある。つまり磁石体１０３の磁力は、移動体１０２の自重（重力によって下方へ引っ張られる力）よりも弱く、移動体１０２が衝撃等で自重（重力によって下方へ引っ張られる力）に反して上方へ移動する力よりも強く磁力によって引きつけ移動体１０２が上下反転時の位置へ移動するのを規制し保持するような磁力に設定している。
【０１０４】
上記構成において動作を説明すると、吸込具本体１６を被掃除面に接地させると、図７（ａ）に示すように、ローラー５７が被掃除面に当接し、ローラーアーム５６が上方向に回動することにより回動軸５５が回動し、検知レバー５９により移動体６１を介してスイッチ６２をオンする。
【０１０５】
この状態で吸込具本体１６と掃除機本体２０に通電すると、回転ブラシ１７に内蔵した電動機２９が回転し、減速装置３０によって減速され、回転トルクが増大されて回転ブラシ１７を回転駆動する。回転ブラシ１７の回転により、ブラシホルダー２７の外周面に設けたブラシ２８により絨毯などに付着した塵埃を掻き上げるとともに、掻き上げた塵埃は延長管１８、ホース２４を介して掃除機本体２０に吸引される。
【０１０６】
ここで、回転ブラシ１７は電動機を内蔵することによって、従来に比べて、その直径が大きくなるが、直径が大きくなると、回転数を従来と同じとしたとき、塵埃掻き上げ部の周速が速まり、被掃除面からの塵埃の掻き上げ性能を向上することができる。
【０１０７】
このとき、吸込具本体１６と被掃除面で囲まれた空間に負圧がかかり、吸込具本体１６の外周より外気が流入し、この気流により被掃除面上の塵埃も連結体１９を通して一緒に吸い込まれていく。そして、連結体１９に対向して設けた通気孔４７を通して、回転ブラシ１７内部の通気孔４７の近傍にも負圧が働くため、外気が吸気孔５２より中空軸４０の中空部を通って回転ブラシ１７の内部に流入する。
【０１０８】
この流入した外気により、電動機２９および減速装置３０の外側を通る冷却風通路４６、ギヤ部４３の外側に設けた通路孔４５を通り、防塵フィルタ４８を介して通気孔４７から流出する冷却風が生じ、電動機２９、電動機用基板３２などを冷却する。
【０１０９】
つぎに、吸込具本体１６を被掃除面から離して空中に浮かすと、図７（ｂ）に示すように、スプリング５８の付勢によりローラーアーム５６およびローラー５７は吸込具本体１６の裏面より突出し、回動軸５５が回動してスイッチ６２をオフし、電動機２９を停止させ、回転ブラシ１７を停止させる。
【０１１０】
ところで、掃除を開始するときは、一般に、吸込具本体１６を被掃除面に接地させて、そのまま吸込具本体１６を被掃除面上を前後方向に移動させる。このとき、吸込具本体１６の吸込口２５を下方に向けた上下正常状態で、たとえば、吸込具本体１６を被掃除面に落として、吸込具本体１６に衝撃力を加えた場合には、衝撃力に起因して移動体１０２が移動体収容部６０内で上方向に移動しようとすると同時に、検知レバー５９が図７（ｂ）に示す状態から図７（ａ）に示す状態に移行し始める。
【０１１１】
このとき、移動体１０２は磁石体１０３の磁力によって引きつけられ、移動体１０２の移動は規制され、移動体１０２が検知レバー５９から上下方向において離れた位置へ移動するのを規制される。このため、検知レバー５９が図７（ｂ）に示す状態から図７（ａ）に示す状態に移行したとき、移動体１０２が検知レバー５９の先端部の上にのる状態にはならず、検知レバー５９とスイッチ６２との間に介在し、検知レバー５９の動作によりスイッチ６２をオン制御することができる。
【０１１２】
したがって、吸込具本体１６を被掃除面に接地させたとき、吸込具本体１６に衝撃力が加えられても、確実に回転ブラシ１７を回転させて掃除することができ、使い勝手を向上することができる。
【０１１３】
つぎに、吸込具本体１６を上下反転させたときは、図７（ｃ）に示すように、磁石体１０３が自重によって磁石体１０３の磁力からのがれて移動し、移動体収容部６０内の移動体１０２の移動経路を落下していき、検知レバー５９の先端部から上下方向に離れた位置に移動体１０２が移動する。このため、ローラー５７を押圧しても、検知レバー５９とスイッチ６２との間に移動体１０２が介在しないため、スイッチ６２をオンすることがなく、回転ブラシ１７が回転しないようにすることができる。
【０１１４】
ここで、床面接地部をローラー５７としているので、吸込具本体１６を被掃除面へ接地したとき、ローラー５７の動きに応じてスイッチ６２をオンできるとともに、掃除作業中、被掃除面を傷つけるのをなくすることができる。
【０１１５】
また、ローラー５７をスプリング５８により接地する方向に付勢しているので、吸込具本体１６を被掃除面へ接地したときローラー５７を押圧し、吸込具本体１６を被掃除面から離したときローラー５７を突出させることができ、吸込具本体１６の被掃除面への接地状態および非接地状態を確実に判別することができて、吸込具本体１６が被掃除面へ接地しているときのみスイッチ６２をオンすることができる。
【０１１６】
また、本実施例では磁石体１０３は、移動体１０２の下方でスイッチ６２を保持したリブ体に配設されているが、他の部分でも良く、吸込具本体１６の上下正常時に移動体収容部６０内で移動体１０２が上下反転時の位置とは反対側に磁力によって規制、保持される位置に磁石体１０３を配設すればよい。つまり上記移動体１０２の位置で移動体１０２に磁力が影響する位置に磁石体１０３を構成すればよい。このように磁石体１０３だけで構成しているので、簡単な構成で、吸込具本体１６の上下正常時には移動体１０２を保持して移動を規制し、吸込具本体１６の上下反転時には移動体１０２に働く重力により移動体１０２を確実に移動させることができ、吸込具本体１６の上下反転時に移動体収容部６０内の移動体１０２の規制を解除することができ、移動体１０２の移動性を向上することができる。
【０１１７】
（実施例５）
つぎに、本発明の実施例５について、図８を参照しながら説明する。なお、安全装置以外は上記実施例２と同じであるので説明を省略する。
【０１１８】
図８に示すように、安全装置２０１は、上記実施例４と同様に、吸込具本体１６を上下反転したとき電動機２９を停止させるもので、回動軸６８にローラーアーム６９を上下方向に回転可能に取着し、このローラーアーム６９の先端部に床面接地部を構成するローラー７０を回転可能に軸支している。吸込具本体１６を空中に浮かしたとき、スプリング７１の付勢によりローラーアーム６９およびローラー７０は吸込具本体１６の裏面より突出し、吸込具本体１６を被掃除面に接地させたとき、ローラー７０が被掃除面に当接し、ローラーアーム６９が上方向に回動するよう構成している。
【０１１９】
また、回動軸６８には検知レバー７２を回転自在に取着し、さらに、電動機２９をオンオフ制御するスイッチ７３を付勢する付勢部７４を設け、検知レバー７２はローラー７０の動きに応じて動作し、検知レバー７２の先端部を移動体収容部７５内に出没自在とするとともに、吸込具本体１６の上下正常時には付勢部７４により電動機２９をオンオフ制御するスイッチ７３をオンオフ制御するよう構成している。
【０１２０】
ここで、移動体２０２は鋼などの磁性体からなるボールで構成し、移動体収容部７５内に上下方向に移動自在に収容し、吸込具本体１６の上下反転により移動するよう構成し、吸込具本体１６の上下反転時には、スイッチ７３をオンしないように規制する位置に移動し、検知レバー７２の動きによりスイッチ７３がオンできないようにしている。
【０１２１】
磁石体２０３は吸込具本体１６の上下正常時に、移動体２０２の上方への移動は、磁石体２０３の磁力により規制され、吸込具本体１６の上下反転時には移動体２０２が自重により移動体収容部７５内を移動し、検知レバー７２の先端部に対向する位置に移動体２０２が移動するよう構成している。
【０１２２】
すなわち、磁石体２０３は、移動体２０２を磁力によって引きつけ衝撃等で移動体２０２が上下反転時の位置へ移動するのを規制し、且つ吸込具本体１６の上下反転時には移動体２０２が自重により移動体収容部７５内を移動するような磁力に設定してある。つまり磁石体２０３の磁力は、移動体２０２の自重（重力によって下方へ引っ張られる力）よりも弱く、移動体２０２が衝撃等で自重（重力によって下方へ引っ張られる力）に反して上方へ移動する力よりも強く磁力によって引きつけ移動体２０２が上下反転時の位置へ移動するのを規制し保持するような磁力に設定している。
【０１２３】
上記構成において動作を説明する。なお、吸込具本体１６と掃除機本体２０に通電したときの動作は上記実施例１の動作と同じであるので説明を省略する。
【０１２４】
吸込具本体１６を被掃除面に接地すると、図８（ａ）（ｂ）に示すように、ローラー７０が被掃除面に当接し、ローラーアーム６９が上方向に回動することにより回動軸６８が回動し、付勢部７４によりスイッチ７３をオンし、電動機２９が回転し、回転駆動する。
【０１２５】
つぎに、吸込具本体１６を被掃除面から離して空中に浮かすと、図８（ｃ）（ｄ）に示すように、スプリング７１の付勢によりローラーアーム６９およびローラー７０は吸込具本体１６の裏面より突出し、回動軸６８が回動して、付勢部７４によりスイッチ７３をオフし、電動機２９を停止させ、回転ブラシ１７を停止させる。
【０１２６】
ところで、掃除を開始するときは、一般に、吸込具本体１６を被掃除面に接地させて、そのまま吸込具本体１６を被掃除面上を前後方向に移動させる。このとき、吸込具本体１６の吸込口２５を下方に向けた上下正常状態で、たとえば、吸込具本体１６を被掃除面に落として、吸込具本体１６に衝撃力を加えた場合には、衝撃力に起因して移動体２０２が移動体収容部７５内で上方向に移動しようとすると同時に、検知レバー７２が図８（ｃ）に示す状態から図８（ａ）に示す状態に移行し始める。
【０１２７】
このとき、移動体２０２は磁石体２０３の磁力によって引きつけられ、移動体２０２の移動は規制され、移動体２０２が検知レバー７２の先端部に対向する位置へ移動するのを規制される。このため、検知レバー７２が図８（ｃ）に示す状態から図８（ａ）に示す状態に移行したとき、移動体２０２が検知レバー７２の先端部によりロックされる状態にはならず、検知レバー７２の動作により付勢部７４を介してスイッチ７３をオン制御することができて回転ブラシ１７を確実に回転させることができ、使い勝手を向上することができる。
【０１２８】
つぎに、吸込具本体１６を上下反転させたときは、図８（ｅ）（ｆ）に示すように、磁石体２０３が自重によって磁石体２０３の磁力からのがれて移動し、移動体収容部７５内の移動体２０２の移動経路を落下していき、検知レバー７２の先端部に対向する位置に移動体２０２が移動する。このため、検知レバー７２が移動体２０２によりロックされて、ローラー７０を押圧してもスイッチ７３をオンすることがなく、回転ブラシ１７が回転しないようにすることができる。
【０１２９】
ここで、床面接地部をローラー７０としているので、吸込具本体１６を被掃除面へ接地したとき、ローラー７０の動きに応じてスイッチ７３をオンできるとともに、掃除作業中、被掃除面を傷つけるのをなくすることができる。
【０１３０】
また、ローラー７０をスプリング７１により接地する方向に付勢しているので、吸込具本体１６を被掃除面へ接地したときローラー７０を押圧し、吸込具本体１６を被掃除面から離したときローラー７０を突出させることができ、吸込具本体１６の被掃除面への接地状態および非接地状態を確実に判別することができて、吸込具本体１６が被掃除面へ接地しているときのみスイッチ７３をオンすることができる。
【０１３１】
また、磁石体２０３は、回動軸６８の上方の検知レバー７２に配設されているが、他の部分でも良く、吸込具本体１６の上下正常時に移動体収容部７５内で移動体２０２が上下反転時の位置とは反対側に磁力によって規制、保持される位置に磁石体２０３を配設すればよい。つまり上記移動体２０２の位置で移動体２０２に磁力が影響する位置に磁石体２０３を構成すればよい。このように磁石体２０３だけで構成しているので、簡単な構成で、吸込具本体１６の上下正常時には移動体２０２を保持し、吸込具本体１６の上下反転時には移動体２０２に働く重力により移動体２０２を確実に移動させることができ、吸込具本体１６の上下反転時に移動体収容部７５内の移動体２０２の規制を解除することができ、移動体２０２の移動性を向上することができる。
【０１３２】
【発明の効果】
以上のように本発明によれば、吸込具本体に衝撃力が加えられても、確実に回転ブラシを回転させることができ、使い勝手を向上することができる。
【０１３３】
特に、請求項９に記載の発明によれば、移動体の移動性をよくすることができる。
【０１３４】
また、請求項１０に記載の発明によれば、簡単な構成で、吸込具本体の上下反転時には邪魔体を確実に移動させ、移動体収容部内の移動体の規制を解除することができる。
【０１３５】
また、請求項１１に記載の発明によれば、移動体の移動性を向上することができる。
【０１３６】
また、請求項１２に記載の発明によれば、吸込具本体の上下反転時に移動体の移動性をよくすることができる。
【０１３７】
また、請求項１３に記載の発明によれば、邪魔体に移動体が当たったとき、邪魔体を動きにくくすることができ、邪魔体としての機能を果たすことができる。
【図面の簡単な説明】
【図１】
本発明の第１の実施例の電気掃除機用吸込具の断面図
【図２】
同電気掃除機用吸込具の要部分解斜視図
【図３】
（ａ）同電気掃除機用吸込具の吸込具本体を接地した状態の要部断面図
（ｂ）同電気掃除機用吸込具の吸込具本体を空中に離した状態の要部断面図
（ｃ）同電気掃除機用吸込具の吸込具本体を上下反転した状態の要部断面図
【図４】
同電気掃除機用吸込具を備えた電気掃除機の斜視図
【図５】
（ａ）本発明の第２の実施例の電気掃除機用吸込具の吸込具本体を接地した状態の要部断面図
（ｂ）同電気掃除機用吸込具の吸込具本体を接地した状態のスイッチ部の要部断面図
（ｃ）同電気掃除機用吸込具の吸込具本体を空中に離した状態の要部断面図
（ｄ）同電気掃除機用吸込具の吸込具本体を空中に離した状態のスイッチ部の要部断面図
（ｅ）同電気掃除機用吸込具の吸込具本体を上下反転した状態の要部断面図
（ｆ）同電気掃除機用吸込具の吸込具本体を上下反転した状態のスイッチ部の要部断面図
【図６】
（ａ）本発明の第３の実施例の電気掃除機用吸込具の吸込具本体を接地した状態の要部断面図
（ｂ）同電気掃除機用吸込具の吸込具本体を空中に離した状態の要部断面図
（ｃ）同電気掃除機用吸込具の吸込具本体を上下反転した状態の要部断面図
【図７】
（ａ）本発明の第４の実施例の電気掃除機用吸込具の吸込具本体を接地した状態の要部断面図
（ｂ）同電気掃除機用吸込具の吸込具本体を空中に離した状態の要部断面図
（ｃ）同電気掃除機用吸込具の吸込具本体を上下反転した状態の要部断面図
【図８】
（ａ）本発明の第５の実施例の電気掃除機用吸込具の吸込具本体を接地した状態の要部断面図
（ｂ）同電気掃除機用吸込具の吸込具本体を接地した状態のスイッチ部の要部断面図
（ｃ）同電気掃除機用吸込具の吸込具本体を空中に離した状態の要部断面図
（ｄ）同電気掃除機用吸込具の吸込具本体を空中に離した状態のスイッチ部の要部断面図
（ｅ）同電気掃除機用吸込具の吸込具本体を上下反転した状態の要部断面図
（ｆ）同電気掃除機用吸込具の吸込具本体を上下反転した状態のスイッチ部の要部断面図
【図９】
従来の電気掃除機用吸込具の断面図
【図１０】
（ａ）同電気掃除機用吸込具の吸込具本体を接地した状態の要部断面図
（ｂ）同電気掃除機用吸込具の吸込具本体を接地した状態のスイッチ部の要部断面図
（ｃ）同電気掃除機用吸込具の吸込具本体を空中に離した状態の要部断面図
（ｄ）同電気掃除機用吸込具の吸込具本体を空中に離した状態のスイッチ部の要部断面図
（ｅ）同電気掃除機用吸込具の吸込具本体を上下反転した状態の要部断面図
（ｆ）同電気掃除機用吸込具の吸込具本体を上下反転した状態のスイッチ部の要部断面図
【符号の説明】
１６    吸込具本体
１７    回転ブラシ
２５    吸込口
２９    電動機
５４    安全装置
５９    検知レバー
６１    移動体
６２    スイッチ
６３    邪魔体
１０３  磁石体
【手続補正２】
【補正対象書類名】図面
【補正対象項目名】図１
【補正方法】変更
【補正の内容】
【図１】
2000333891.tif 000001
【手続補正３】
【補正対象書類名】図面
【補正対象項目名】図５
【補正方法】変更
【補正の内容】
【図５】
2000333891.tif 000002